【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  バルク重合法、溶液重合法またはバルク懸濁重合法を用いて調製されるグラフトポリマーと、式（Ｉ）：
【化１】
2002530499.tif 000001
（式中、Ｒ１、Ｒ２、Ｒ３およびＲ４はそれぞれ互いに独立して、任意にハロゲン化されたＣ１〜Ｃ８アルキル、Ｃ５〜Ｃ６シクロアルキル、Ｃ６〜Ｃ２０アリールまたはＣ７〜Ｃ１２アラルキル（これらはそれぞれ任意にハロゲンおよび／またはアルキルで置換されている）を表し、ｎは、互いに独立して０または１を表し、Ｎは、０〜３０を表し、そしてＸは、炭素数６〜３０の単核-または多核の芳香族基を表す。）
のリン化合物と、フッ素化ポリオレフィン０.０５〜５重量部とを含有するポリカーボネートおよび／またはポリエステルカーボネート系熱可塑性成形用組成物。
【請求項２】  Ａ.  熱可塑性ポリカーボネートおよび／またはポリエステルカーボネート４０〜９９重量部、
Ｂ.  バルク重合法、溶液重合法またはバルク懸濁重合法を用いて調製される、
Ｂ.１  １以上のビニルモノマー５０〜９９重量％の
Ｂ.２  ガラス転移温度１０℃未満の１以上のグラフトベース５０〜１重量          ％への
グラフトポリマー０.５〜６０重量部、
Ｃ.  熱可塑性ビニルコポリマーおよび／またはポリアルキレンテレフタレート０〜４５重量部、
Ｄ.  式（Ｉ）：
【化２】
2002530499.tif 000002
（式中、Ｒ１、Ｒ２、Ｒ３およびＲ４はそれぞれ互いに独立して、任意にハロゲン化されたＣ１〜Ｃ８アルキルまたはＣ５〜Ｃ６シクロアルキル、Ｃ６〜Ｃ２０アリールまたはＣ７〜Ｃ１２アラルキル（これらはそれぞれ任意にハロゲンおよび／またはアルキルで置換されている）を表し、ｎは、互いに独立して０または１を表し、Ｎは、０〜３０を表し、そしてＸは、炭素数６〜３０の単核-または多核の芳香族基を表す。）
のリン化合物０.５〜２０重量部、および
Ｅ.  フッ素化ポリオレフィン０.０５〜５重量部
を含有する熱可塑性成形用組成物。
【請求項３】  ビニルモノマーＢ.１が、
Ｂ.１.１    スチレン、α-メチルスチレン、核においてハロゲンまたはアルキルで置換されたスチレン、および／または(メタ)アクリル酸Ｃ１〜Ｃ８アルキルエステルと、
Ｂ.１.２    不飽和ニトリル、(メタ)アクリル酸Ｃ１〜Ｃ８アルキルエステルおよび／または不飽和カルボン酸の誘導体
の混合物である請求項２に記載の成形用組成物。
【請求項４】  グラフトベースＢ.２が、ジエンゴム、ＥＰ(Ｄ)Ｍゴム、およびアクリレートゴム、ポリウレタンゴム、シリコーンゴム、クロロプレンゴムおよびエチレン／酢酸ビニルゴムより成る群からの少なくとも１のゴムから選択される請求項２のいずれかに記載の成形用組成物。
【請求項５】  式（Ｉ）中、Ｎが平均値０.３〜２０を有する請求項１〜４のいずれかに記載の成形用組成物。
【請求項６】  式（Ｉ）のモノリン化合物として、トリブチルホスフェート、トリス-(2-クロロエチル)ホスフェート、トリス-(2,3-ジブロモプロピル)ホスフェート、トリフェニルホスフェート、トリクレシルホスフェート、ジフェニルクレシルホスフェート、ジフェニルオクチルホスフェート、ジフェニル2-エチルクレシルホスフェート、トリ-(イソプロピルフェニル)ホスフェート、ハロゲン置換されたアリールホスフェート、メチルホスホン酸ジメチルエステル、メチルホスホン酸ジフェニルエステル、フェニルホスホン酸ジエチルエステル、トリフェニルホスフィンオキサイドまたはトリクレシルホスフィンオキサイドを含有する請求項１〜５のいずれかに記載の成形用組成物。
【請求項７】  ｍ-フェニレン-ビス(ジフェニルホスフェート)を成分Ｄとして含有する請求項１〜６のいずれかに記載の成形用組成物。
【請求項８】  下記の式（Ｉａ）のリン化合物を成分Ｄとして含有する請求項１〜７のいずれかに記載の成形用組成物。
【化３】
2002530499.tif 000003
（式中、Ｒ１、Ｒ２、Ｒ３およびＲ４、ｎおよびＮは、前記の意味を有し、Ｒ５およびＲ６は、互いに独立して、Ｃ１〜Ｃ４またはハロゲンを表し、ｑは、０または１もしくは２の数を表し、およびＹは、Ｃ１〜Ｃ７アルキリデン、Ｃ１〜Ｃ７アルキレン、Ｃ５〜Ｃ１２シクロアルキレン、Ｃ５〜Ｃ１２シクロアルキリデン、-Ｏ-、-Ｓ-、-ＳＯ-、-ＳＯ２-または-ＣＯ-を表す。）
【請求項９】  周期表の主要分類１〜５または副分類１〜８と、酸素、硫黄、ホウ素、炭素、リン、窒素、水素およびケイ素から成る群より選択される少なくとも１の元素とから成る細かく分割された化合物を含有する請求項１〜８のいずれかに記載の成形用組成物。
【請求項１０】  安定化剤、顔料、離型剤、流動助剤および／または静電気防止剤よりなる群からの少なくとも１の添加物を含有する請求項１〜９のいずれかに記載の成形用組成物。
【請求項１１】  請求項１〜１０のいずれかに記載の成形用組成物から製造される成形物品。
【手続補正２】
【補正対象書類名】明細書
【補正対象項目名】０００１
【補正方法】変更
【補正の内容】
【０００１】
本発明は、リン化合物で耐燃化処理され、そして機械特性の優れたプロフィール、特にかなり改良された破断時の伸び、顕著な引張弾性率および優れた加工性を有するポリカーボネート−ＡＢＳ成形用組成物に関する。
【手続補正３】
【補正対象書類名】明細書
【補正対象項目名】０００５
【補正方法】変更
【補正の内容】
【０００５】
欧州特許出願公開第755977号公報には、芳香族ポリカーボネート、ゴム含量が２５％未満のＡＢＳグラフトポリマーおよびホスフェートオリゴマーから成る成形用組成物が記載されている。良好な応力亀裂特性を得るためには、ホスフェート含量は８重量％を超えるべきではない。バルクＡＢＳおよび高いゴム含量のグラフトポリマーとＳＡＮ樹脂の混合物が同様の機械特性やレオロジー特性を有することも開示されている。適した防炎性を達成するためには、使用される防炎加工剤の量  最大８重量％は低すぎるかもしれない。
【手続補正４】
【補正対象書類名】明細書
【補正対象項目名】０００７
【補正方法】変更
【補正の内容】
【０００７】
成分Ｄ（以降参照）のリン化合物と、バルク重合によって得られるグラフトポリマーとを含有するＰＣ／ＡＢＳ成形用組成物は、機械特性の非常に良好なプロフィールを有する成形物品に加工できることが分かっている。
【手続補正５】
【補正対象書類名】明細書
【補正対象項目名】００７９
【補正方法】変更
【補正の内容】
【００７９】
好適なテトラフルオロエチレンポリマーエマルションは、市販の製品であって、例えば、デュ・ポン社からテフロン（登録商標）30Ｎとして入手可能である。
【手続補正６】
【補正対象書類名】明細書
【補正対象項目名】００９４
【補正方法】変更
【補正の内容】
【００９４】
本発明の成形用組成物は、例えば、以下の成形物品の製造または成形品にも使用できる。
１．列車用室内建具類
２．ハブキャップ
３．小型変圧器を含む電気部品用のハウジング
４．データ伝達および移送用の装置のためのハウジング
５．医療目的用のハウジングおよびライニング
６．通信部品およびそのためのハウジング
７．子供用のおもちゃの車体
８．平坦な壁構成要素
９．安全装置用のハウジング
１０．リアスポイラー
１１．断熱輸送容器
１２．小動物の囲いまたは保護のための装置
１３．サニタリーおよび風呂付属品のための成形品
１４．換気孔のためのカバー格子
１５．庭および備品納屋のための成形品
１６．園芸部品用のハウジング
【手続補正７】
【補正対象書類名】明細書
【補正対象項目名】０１０３
【補正方法】変更
【補正の内容】
【０１０３】
本発明の成形用組成物の調製および試験
成分を３リッターの内部ニーダーで混合する。アーブルグ(Arburg)270Ｅ型射出成形機により、260℃で成形物品を製造する。
【手続補正８】
【補正対象書類名】明細書
【補正対象項目名】０１１１
【補正方法】変更
【補正の内容】
【０１１１】
本発明の実施例１、３および５は、破断時の伸びや溶接シーム強度のような機械特性の明らかな改善、より高い弾性率およびかなり高い加工中の安定性を示している。このこと自身は、試験片における280℃での低い重量損失（ＴＧＡ）と表面欠陥が殆どないことにも現れている。ＡＢＳ塊（成分Ｂ）とエマルションＡＢＳ（成分Ｅを介して導入されたもの）の両者を含むポリカーボネート−ＡＢＳ成形用組成物は、ここでは、特に均衡のとれた特性の組み合わせを表している。